(57)【要約】【課題】スラット板の上に直置き出来ないような被搬送物の搬送に好適なスラットコンベヤを提案する。【解決手段】上側搬送経路部１と下側戻り経路部２及び当該上下両経路部を接続する両端Ｕターン経路部によって構成された無端状経路を無端状に連結された多数のスラット板が循環移動するように構成したスラットコンベヤにおいて、前記上側搬送経路部１において搬送される被搬送物（自動車車体W’）の前後２か所に対応するスラット板５ａ，５ｂ上に、当該被搬送物を起立姿勢において支持する左右一対の被搬送物支持具３３ａ〜３３ｄを、前後搬送方向と平行な支軸３５の周りに起伏自在に軸支された構成。【選択図】図１２
2014133660.tif 000002
【特許請求の範囲】
【請求項１】
上側搬送経路部と下側戻り経路部及び当該上下両経路部を接続する両端Ｕターン経路部によって構成された無端状経路を無端状に連結された多数のスラット板が循環移動するように構成したスラットコンベヤにおいて、前記上側搬送経路部において搬送される被搬送物の前後２か所に対応するスラット板上に、当該被搬送物を起立姿勢において支持する左右一対の被搬送物支持具を、前後搬送方向と平行な支軸の周りに起伏自在に軸支されている、スラットコンベヤ。
【請求項２】
前記左右一対の被搬送物支持具は、起立姿勢と、互いに接近する内側へ倒伏した倒伏姿勢との間でのみ、起伏自在に軸支されている、請求項１に記載のスラットコンベヤ。
【請求項３】
前記左右一対の被搬送物支持具は、重力でその起立姿勢を保持するように、起立姿勢の被搬送物支持具の下端はスラット板の表面に当接すると共に、前記支軸は当該起立姿勢の被搬送物支持具に対して倒伏側に離れて位置している、請求項１又は２に記載のスラットコンベヤ。
【請求項４】
前記無端状経路の左右両外側には、当該無端状経路に沿って回動する駆動チエンとスラット板姿勢規制用ガイド手段が設けられ、各スラット板は、左右一対の前記駆動チエン及び左右一対の前記スラット板姿勢規制用ガイド手段の間に配置されると共に、その左右両側辺の移動方向の中間位置がその外側に位置する前記駆動チエンに互いに同心状の支軸によりシーソー運動自在に軸支され、各スラット板の左右両側辺には、左右一対の前記スラット板姿勢規制用ガイド手段と係合するガイドローラーが軸支され、左右一対の前記スラット板姿勢規制用ガイド手段は、上側搬送経路部と下側戻り経路部を移動する各スラット板を正立姿勢に規制する主ガイドレール部と、両端Ｕターン経路部を移動する各スラット板を正立姿勢のまま平行移動させるターン用ガイドレール部とを備え、前記下側戻り経路部では、正立姿勢で移動するスラット板の表面上に、倒伏姿勢に切り換えられた前記被搬送物支持具が支持されるように構成された、請求項１〜３の何れか１項に記載のスラットコンベヤ。
【発明の詳細な説明】
【技術分野】
【０００１】
本発明は、上側搬送経路部と下側戻り経路部及び当該上下両経路部を接続する両端Ｕターン経路部によって構成された無端状経路を無端状に連結された多数のスラット板が循環移動するように構成したスラットコンベヤに関するものである。
【背景技術】
【０００２】
上記のようなスラットコンベヤは、例えば特許文献１に記載されるように、上側搬送経路部と下側戻り経路部の一方から他方へ移動するスラット板は、両端Ｕターン経路部の周囲を回動して上下反転するように構成されるものである。このようなスラットコンベヤにおいて、自動車車体などの被搬送物を搬送する場合、当該被搬送物をスラット板の上に直置きしたのでは、この被搬送物の積み下ろしに際してフォークにより当該被搬送物を支持して移載することが出来ないので、スラット板の上に被搬送物支持具を付設し、この被搬送物支持具の上に被搬送物を支持させることになる。
【先行技術文献】
【特許文献】
【０００３】
【特許文献１】特開２００３−１９２１１５号公報
【発明の概要】
【発明が解決しようとする課題】
【０００４】
しかしながら、スラット板から突出する被搬送物支持具によって、両端Ｕターン経路部での被搬送物支持具を含むスラット板側の回転半径が大幅に大きくなり、スラットコンベヤ全体の全長が上側搬送経路部の全長に比較して大きくなり、設置のための占有床面積が大きくなる。又、下側戻り経路部において被搬送物支持具がスラット板から下向きに突出するので、下側戻り経路部に必要な空間高さが高くなり、床面上にスラットコンベヤを設置すると、上側搬送経路部の床面上高さが非常に高くなるので、この上側搬送経路部の床面上高さを低くするためには、床面下にピットを掘る必要が生じ、設置コストが大幅に高くなる。
【課題を解決するための手段】
【０００５】
本発明は、上記のような従来の問題点を解消することのできるスラットコンベヤを提案するものであって、本発明に係るスラットコンベヤは、後述する実施例との関係を理解し易くするために、当該実施例の説明において使用した参照符号を括弧付きで付して示すと、上側搬送経路部(1)と下側戻り経路部(2)及び当該上下両経路部(1,2)を接続する両端Ｕターン経路部(3,4)によって構成された無端状経路を無端状に連結された多数のスラット板(5)が循環移動するように構成したスラットコンベヤにおいて、前記上側搬送経路部(1)において搬送される被搬送物（自動車車体W’）の前後２か所に対応するスラット板(5)上に、当該被搬送物を起立姿勢において支持する左右一対の被搬送物支持具(33a〜33d)を、前後搬送方向と平行な支軸(35)の周りに起伏自在に軸支された構成になっている。
【発明の効果】
【０００６】
上記本発明の構成によれば、上側搬送経路部の終端において、起立姿勢にあった被搬送物支持具を支軸の周りに回倒してスラット板上に倒伏させることにより、この被搬送物支持具を備えたスラット板がＵターン経路部を回動するときの当該被搬送物支持具を含むスラット板全体の回動軌跡の最大直径は、被搬送物支持具を備えていないスラット板のみの回動軌跡の最大直径と比較して、倒伏した被搬送物支持具の厚さ分だけが大きくなるだけである。即ち、被搬送物支持具を起立姿勢のままでＵターン経路部を回動させる場合や、被搬送物支持具を前後搬送方向とは直交するスラット板の左右巾方向と平行な支軸の周りで倒伏姿勢に回倒させる場合と比較して、スラット板がＵターン経路部を回動するときの被搬送物支持具を含むスラット板全体の回動軌跡の最大直径を大幅に小さく抑えることが出来る。従って、スラットコンベヤ全体の全長が、搬送に寄与する上側搬送経路部の全長と比較して大幅に長くなるのを抑え、設置時の占有床面積を小さく抑えることが出来る。  
【０００７】
尚、上記本発明を実施する場合、前記左右一対の被搬送物支持具は、起立姿勢と、互いに接近する内側へ倒伏した倒伏姿勢との間でのみ、起伏自在に軸支するのが望ましい。この構成によれば、支持する被搬送物の横巾が大きくて、被搬送物支持具がスラット板の左右両側辺に比較的近い位置に軸支される場合や、被搬送物の支持高さを高くするために、起立姿勢での高さの高い被搬送物支持具を使用しなければならない場合でも、スラット板上に倒伏させた被搬送物支持具をスラット板の左右両側辺から外側に突出させないように構成して、被搬送物支持具を持たないスラットコンベヤの横巾と同一の横巾に抑えて実施することが出来る。
【０００８】
又、被搬送物支持具を起立姿勢でロックするロック手段を併用することも出来るが、重力でその起立姿勢を保持するように、起立姿勢の被搬送物支持具の下端はスラット板の表面に当接させると共に、前記支軸は当該起立姿勢の被搬送物支持具に対して倒伏側に離れて位置させるのが望ましい。この構成によれば、被搬送物支持具を起立姿勢でロックするロック手段やこのロック手段のロック解除操作などが不要になる。
【０００９】
更に、被搬送物支持具を組み込むスラットコンベヤとしては、次のような構成のスラットコンベヤが望ましい。即ち、前記無端状経路の左右両外側には、当該無端状経路に沿って回動する駆動チエンとスラット板姿勢規制用ガイド手段が設けられ、各スラット板は、左右一対の前記駆動チエン及び左右一対の前記スラット板姿勢規制用ガイド手段の間に配置されると共に、その左右両側辺の移動方向の中間位置がその外側に位置する前記駆動チエンに互いに同心状の支軸によりシーソー運動自在に軸支され、各スラット板の左右両側辺には、左右一対の前記スラット板姿勢規制用ガイド手段と係合するガイドローラーが軸支され、左右一対の前記スラット板姿勢規制用ガイド手段は、上側搬送経路部と下側戻り経路部を移動する各スラット板を正立姿勢に規制する主ガイドレール部と、両端Ｕターン経路部を移動する各スラット板を正立姿勢のまま平行移動させるターン用ガイドレール部とを備えて成るスラットコンベヤにおいて、前記スラット板に前記被搬送物支持具を先に説明したように軸支し、前記下側戻り経路部では、正立姿勢で移動するスラット板の表面上に、倒伏姿勢に切り換えられた前記被搬送物支持具が支持されるように構成することが出来る。
【００１０】
上記の構成によれば、下側戻り経路部でスラット板が上下反転するような一般的なスラットコンベヤに本発明を適用する場合と比較して、被搬送物支持具が下側戻り経路部を移動するときに当該被搬送物支持具が重力で垂れ下がるのを防止するために、被搬送物支持具を倒伏姿勢にロックするロック手段やこのロック手段のロック解除操作などが不要になる。勿論、下側戻り経路部を移動する被搬送物支持具を、上側搬送経路部を移動するスラット板と下側戻り経路部を移動するスラット板との間に収まるので、下側戻り経路部の下側に被搬送物支持具の移動空間を確保する必要がなくなり、スラットコンベヤの高さを低く抑えることが出来る。
【図面の簡単な説明】
【００１１】
【図１】図１Ａは、本発明を適用する前のスラットコンベヤ全体の一部切欠き概略側面図、図１Ｂは、同スラットコンベヤ両端部分を示す拡大概略側面図である。
【図２】図２は、同スラットコンベヤ全体の一部切欠き平面図である。
【図３】図３は、同スラットコンベヤの一部切欠き縦断正面図である。
【図４】図４は、図３の一部分の拡大図である。
【図５】図５は、同スラットコンベヤの駆動用歯輪の位置での一部切欠き縦断正面図である。
【図６】図６は、図５の一部分の拡大図である。
【図７】図７Ａは、同スラットコンベヤ一端部のスラット板姿勢規制用ガイド手段と１つのスラット板を示す側面図、図７Ｂは、同スラットコンベヤ一端部の駆動チエンとその駆動部を示す一部縦断側面図である。
【図８】図８は、同スラットコンベヤ一端部の片側を示す一部切欠き平面図である。
【図９】図９は、同スラットコンベヤの両端部の変形例を示す概略側面図である。
【図１０】図１０は、本発明の実施例を示すスラットコンベヤの要部を示す概略側面図である。
【図１１】図１１は、図１０の平面図である。
【図１２】図１２は、図１０の縦断正面図である。
【発明を実施するための形態】
【００１２】
本発明を適用することが出来るスラットコンベヤの一例を図１〜図８に基づいて説明すると、このスラットコンベヤは、互いに平行で水平の上側搬送経路部１と下側戻り経路部２、及び両端のＵターン経路部３，４から成る無端状経路を、互いに隣接する多数のスラット板５が回動するものであって、上側搬送経路部１の始端部上には、この上側搬送経路部１上に被搬送物である自動車Ｗが自走により進入するための進入路面を形成する進入側固定床板６が架設され、上側搬送経路部１の終端部上には、この上側搬送経路部１上から自動車Ｗが自走により退出するための退出路面を形成する退出側固定床板７が架設されている。進入側固定床板６は、上側搬送経路部１側の後半部が下り勾配に傾斜し、退出側固定床板７は、上側搬送経路部１側の前半部が上り勾配に傾斜している。
【００１３】
上側搬送経路部１、下側戻り経路部２、及び両端のＵターン経路部３，４から成る無端状経路の左右両側には、当該無端状経路に沿ってスラット板５を互いに連結回動させるための駆動チエン８，９が、両端のＵターン経路部３，４の左右両側に互いに同心状に軸支された案内歯輪１０ａ，１０ｂ及び１１ａ，１１ｂ間に、左右対称に掛張されている。そして前記無端状経路の左右両側には、スラット板５の姿勢を常に水平の正立姿勢に保持するためのスラット板姿勢規制用ガイド手段１２と、駆動チエン８，９を駆動する二組の駆動手段１３，１４が配設されている。
【００１４】
各スラット板５は、平面形状が無端状経路の巾方向に細長い矩形状で、側面形状が上広がりの逆台形状のものであって、その無端状経路の巾方向の両逆台形端部には、駆動チエン８，９との連結用支軸１５と前後一対のガイドローラー１６，１７が取り付けられている。左右一対の連結用支軸１５は、スラット板５の逆台形端部の移動方向長さの中央位置で厚さ方向の中間高さにおいて互いに同心状に突設され、前後一対のガイドローラー１６，１７は、スラット板５の逆台形端部の移動方向長さの前後両端位置で前記連結用支軸１５と同一高さにおいて、連結用支軸１５に対して前後対称に、そしてスラット板５の左右両側で左右対を成すガイドローラー１６，１６及び１７，１７が互いに同心状に位置するように軸支されている。而して各スラット板５は、両端の連結用支軸１５により左右一対の駆動チエン８，９に等間隔おきに連結され、左右一対の駆動チエン８，９間で前記連結用支軸１５を支点にシーソー運動自在に支持され、各ガイドローラー１６，１７は、平面視において、スラット板５の両端とその外側の駆動チエン８，９との間に位置するように構成されている。尚、各スラット板５の連結用支軸１５は、駆動チエン８，９のチエンリンク連結用支軸を兼用させることが出来る。
【００１５】
スラット板姿勢規制用ガイド手段１２は、上側搬送経路部１と下側戻り経路部２を移動する各スラット板５を正立姿勢に規制する主ガイドレール部１８と、両端Ｕターン経路部３，４を回動する各スラット板５を正立姿勢のまま平行移動させるターン用ガイドレール部１９とを備えている。主ガイドレール部１８は、上側搬送経路部１と下側戻り経路部２を移動する各スラット板５の前後一対のガイドローラー１６，１７を介して当該各スラット板５を水平に移動自在に支持する直線状水平レール部材１８ａ，１８ｂから構成され、ターン用ガイドレール部１９は、両端Ｕターン経路部３，４の中心（各案内歯輪１０ａ〜１１ｂの軸心）に対して外側（上下両経路部１，２のある側とは反対側）を回動するガイドローラー、即ち、始端側のＵターン経路部３ではガイドローラー１６、終端側のＵターン経路部４ではガイドローラー１７、を内外両側から挟むように配設された内外一対の半円弧形の湾曲レール部材１９ａ，１９ｂから構成されている。
【００１６】
内外一対の湾曲レール部材１９ａ，１９ｂの内、外側の湾曲レール部材１９ｂは、主ガイドレール部１８を構成する直線状水平レール部材１８ａ，１８ｂの内、下側戻り経路部２に沿って配設された直線状水平レール部材１８ｂの両端と接続させることが出来る。勿論、両端のターン用ガイドレール部１９の内外一対の湾曲レール部材１９ａ，１９ｂの内、内側の湾曲レール部材１９ａと、主ガイドレール部１８を構成する直線状水平レール部材１８ａ，１８ｂの内、上側搬送経路部１に沿って配設された直線状水平レール部材１８ａの両端との間には、スラット板５の前後一対のガイドローラー１６，１７の内、ターン用ガイドレール部１９に案内されない側のガイドローラーと連結用支軸１５とが通過するための必要な空間が確保されている。
【００１７】
尚、図３〜図６に示すように、無端状経路の左右両側には、上側搬送経路部１と下側戻り経路部２との中間高さにおいて、これら上下両経路部に沿って左右一対の水平フレーム２０が架設され、この水平フレーム２０の上にスラット板姿勢規制用ガイド手段１２の主ガイドレール部１８を構成する上側の直線状水平レール部材１８ａが敷設されている。前記水平フレーム２０は、その長さ方向の複数か所が支持フレーム２１を介して据付け基板２２に支持され、この各据付け基板２２上に、主ガイドレール部１８を構成する下側の直線状水平レール部材１８ｂが敷設されている。支持フレーム２１上には、駆動チエン８，９のカバープレート２３が取り付けられているが、このカバープレート２３の内側辺が、上側の直線状水平レール部材１８ａ上を転動移動する各スラット板５のガイドローラー１６，１７の浮き上がりを防止し、前記水平フレーム２０の下側内側辺が、下側の直線状水平レール部材１８ｂ上を転動移動する各スラット板５のガイドローラー１６，１７の浮き上がりを防止している。又、左右一対の水平フレーム２０どうしは、当該水平フレーム２０の長さ方向適当間隔おきの位置において、上側搬送経路部１と下側戻り経路部２との間を水平に横断する連結フレーム２４によって互いに連結一体化されている。駆動チエン８，９を掛張する各案内歯輪１０ａ〜１１ｂは、これら各案内歯輪に近い位置にある据付け基板２２上に設置された軸受けを介して軸支されている。
【００１８】
尚、スラット板姿勢規制用ガイド手段１２のターン用ガイドレール部１９を構成する湾曲レール部材１９ａ，１９ｂは、図７Ａ及び図８に仮想線で示すように、これら湾曲レール部材１９ａ，１９ｂの外側で床面上に設置された専用の支持フレーム２５に取り付けることが出来る。又、水平フレーム２０の上には、駆動チエン８，９の上側搬送経路部１に沿って移動する上側直線経路部を支持案内するチエンガイドレール２６が敷設され、各据付け基板２２上には、駆動チエン８，９の下側戻り経路部２に沿って移動する下側直線経路部を支持案内するチエンガイドレール２７が敷設されているが、当該駆動チエン８，９の上下各直線経路部は、当該駆動チエン８，９に連結用支軸１５を介して等間隔おきに連結された各スラット板５が、そのガイドローラー１６，１７を介してスラット板姿勢規制用ガイド手段１２の主ガイドレール部１８の直線状水平レール部材１８ａ，１８ｂに水平移動自在に支持されているので、前記チエンガイドレール２６，２７は省くことも出来る。
【００１９】
二組の駆動手段１３，１４は同一構造のものであって、駆動手段１３は、上側搬送経路部１のＵターン経路部３に近い終端近傍位置に配設された左右一対の駆動ユニット１３ａ，１３ｂから構成され、駆動手段１４は、下側戻り経路部２のＵターン経路部４に近い終端近傍位置に配設された左右一対の駆動ユニット１４ａ，１４ｂから構成されている。駆動手段１３を具体的に説明すると、図５〜図８に示すように、駆動ユニット１４ａは、駆動チエン８の上側搬送経路部１に沿う部分に下側から係合する駆動用歯輪２８と、当該駆動用歯輪２８を回転駆動する減速機付きモーター２９、及び駆動用歯輪２８から駆動チエン８が上側に逃げるのを防止するチエン浮上り防止用ガイドレール３０から構成されている。このチエン浮上り防止用ガイドレール３０は、駆動チエン８を覆う前記カバープレート２３の下側に取り付けられ、駆動用歯輪２８と駆動チエン８との係合領域に重なる中央部分の下側面には、駆動チエン８のリンク結合軸に遊嵌されたローラー８ａが、回動する駆動用歯輪２８の歯と固定されているチエン浮上り防止用ガイドレール３０の下側面の両方に摺接するのを防止するための切欠き凹部３０ａが形成されている。勿論、この切欠き凹部３０ａを設ける代わりに、チエン浮上り防止用ガイドレール３０を、前記切欠き凹部３０ａに相当する領域だけ前後に離間させて付設した前後２つのレール部材から構成しても良い。又、駆動チエン８を支持案内するチエンガイドレール２６も、チエン浮上り防止用ガイドレール３０が配設された領域を避けるように前後に分断されている。
【００２０】
反対側の駆動チエン９を駆動する駆動ユニット１３ｂは、上記の駆動ユニット１３ａと全く同一構造のものを左右対称に配設したものであるから、図示されている対応部分に同一符号を付して説明は省略する。又、下側戻り経路部２において駆動チエン８，９を駆動する駆動手段１４の左右一対の駆動ユニット１４ａ，１４ｂも、上記駆動ユニット１３ａ，１３ｂと同様に、駆動用歯輪３１と当該駆動用歯輪３１を回転駆動する減速機付きモーター３２を夫々備えたものであり、その駆動用歯輪３１が下側戻り経路部２の駆動チエン８，９に対して上側から係合するように配設している。従って、この駆動ユニット１４ａ，１４ｂでは、駆動チエン８，９が駆動用歯輪３１から下方に逃げるのを既設のチエンガイドレール２７が防止することになるので、図示していないが、駆動用歯輪３１と駆動チエン８，９との係合領域に重なる部分の上側面には、駆動チエン８，９のリンク結合軸に遊嵌されたローラー８ａ，９ａが駆動用歯輪３１の歯とチエンガイドレール２７の上側面の両方に摺接するのを防止するための切欠き凹部を形成するか又は、チエンガイドレール２７を前後に分断させることになる。
【００２１】
上記構成のスラットコンベヤによれば、駆動手段１３，１４の各駆動ユニット１３ａ〜１４ｂにおける減速機付きモーター２９，３２を稼働させ、夫々の駆動用歯輪２８，３１を同一速度で所定の方向に回転駆動して、左右一対の駆動チエン８，９を正転回動させることにより、当該駆動チエン８，９に同心状の連結用支軸１５を介して左右両端が連結されている各スラット板５が無端状経路を正転回動し、上側搬送経路部１において各スラット板５がＵターン経路部４に向かって連続移動する。而して、上側搬送経路部１と下側戻り経路部２を移動する各スラット板５は、その左右両端の前後一対のガイドローラー１６，１７が、スラット板姿勢規制用ガイド手段１２の主ガイドレール部１８における上下各直線状水平レール部材１８ａ，１８ｂ上を転動することにより、水平正立姿勢を保って移動する。又、両端のＵターン経路部３，４を回動する各スラット板５は、これらＵターン経路部３，４の外側を回動するガイドローラー１６又は１７が、スラット板姿勢規制用ガイド手段１２のターン用ガイドレール部１９における湾曲レール部材１９ａ，１９ｂ間を移動することにより、スラット板５が連結用支軸１５の周りで上下に揺動することが実質的に防止され、水平正立姿勢を保って平行移動する。
【００２２】
従って、上側搬送経路部１では、連続移動する各スラット板５によって、当該上側搬送経路部１の全長にわたって連続し且つ進入側固定床板６側から退出側固定床板７側に向かって移動する水平搬送面が形成されるので、進入側固定床板６上を経由させて被搬送物である自動車Ｗを自走により上側搬送経路部１の前記水平搬送面上に移載することにより、移動するスラット板５上に支持された自動車Ｗを退出側固定床板７に向かって一定速度で搬送することが出来、作業者は、自動車Ｗの周囲の各スラット板５で形成された前記水平搬送面上に立って、当該自動車Ｗに対する所要の作業を実行することが出来る。所要の作業が済んだ自動車Ｗが上側搬送経路部１の終端近くに達したならば、当該自動車Ｗを自走により上側搬送経路部１の前記水平搬送面上から退出側固定床板７上を経由させて退出させることが出来る。
【００２３】
被搬送物が自走出来る自動車Ｗでない場合には、適当な移載手段を利用して当該被搬送物を上側搬送経路部１の始端近くにおいて前記水平搬送面上に移載し、所要の作業が済んだ被搬送物が上側搬送経路部１の終端近くに達したならば、適当な移載手段を利用して当該被搬送物を上側搬送経路部１の前記水平搬送面上から搬出すれば良い。この場合は、進入側固定床板６や退出側固定床板７は被搬送物の出し入れに使用されないが、これら進入側固定床板６及び退出側固定床板７で覆われた上側搬送経路部１の始端部領域及び終端部領域、即ち、スラット板５の全てのガイドローラー１６，１７がスラット板姿勢規制用ガイド手段１２の主ガイドレール部１８における上側の直線状水平レール部材１８ａに完全に支持されない領域を除く、上側搬送経路部１の搬送に利用出来る領域の範囲内で、被搬送物の移載作業を行わなければならない。
【００２４】
尚、図示の構造では、各駆動手段１３，１４に、左右一対の駆動用歯輪２８，３１を各別に駆動する２台の減速機付きモーター２９，３２を設けたが、左右一対の駆動用歯輪２８，３１を互いに同心状に配置するときは、上側搬送経路部１と下側戻り経路部２の間を、水平フレーム２０を貫通して横断する伝動軸により左右一対の駆動用歯輪２８，３１を互いに連動連結することにより、各駆動手段１３，１４の左右一対の駆動用歯輪２８，３１を１台の減速機付きモーター２９，３２で連動駆動させることも出来る。更に、上側搬送経路部１の全長が短い場合や搬送負荷が小さい場合、或いは使用する減速機付きモーターの駆動力を大きくすることが可能な場合には、駆動手段１３，１４の内の何れか一方を無くすことも可能である。又、逆に上側搬送経路部１の全長が長い場合や搬送負荷が大きい場合、或いは使用する減速機付きモーター夫々の駆動力を小さくしたい場合には、上側搬送経路部１や下側戻り経路部２の経路長さ方向複数箇所に駆動手段１３，１４を配設することが出来る。
【００２５】
又、上記のように進入側固定床板６や退出側固定床板７を併設する場合、図９に示すように、上側搬送経路部１の始端部領域及び終端部領域、具体的には前記のように、スラット板５の全てのガイドローラー１６，１７がスラット板姿勢規制用ガイド手段１２の主ガイドレール部１８における上側の直線状水平レール部材１８ａに完全に支持されない領域を、両端のＵターン経路部３，４側ほど下がるように傾斜させることにより、これら領域の上側に進入側固定床板６及び退出側固定床板７をほぼ水平に架設することが出来る。
【００２６】
次に、スラット板５の上に直接載置しない、例えば自動車車体Ｗ’を搬送するために、以上に説明したスラットコンベヤに適用した本発明の実施例を、図１０〜図１２に基づいて説明すると、自動車車体Ｗ’を支持する特定のスラット板５の上に被搬送物支持手段３３を設けている。この被搬送物支持手段３３は、自動車車体Ｗ’を周辺４か所で支持するための４つの夫々起伏自在な被搬送物支持具３３ａ〜３３ｄから成るものであって、左右対を成す被搬送物支持具３３ａ，３３ｂと被搬送物支持具３３ｃ，３３ｄは、搬送方向に所要間隔を隔てて位置する２つの荷支持用スラット板５ａ，５ｂの表面上に突設された左右一対の軸受け部材３４に、起立姿勢と当該起立姿勢から互いに接近する内側方向に倒れてスラット板５ａ，５ｂの表面で支持される倒伏姿勢との間でのみ起伏自在に、前後搬送方向と平行な支軸３５により軸支されている。尚、各被搬送物支持具３３ａ〜３３ｄは、起立姿勢を重力で保持できるように、起立姿勢にあるときに支軸３５が内側に離れて位置すると共に下端がスラット板５の表面に当接するように構成されているが、別に各被搬送物支持具３３ａ〜３３ｄを起立姿勢にロックするロック手段を併設しても良い。
【００２７】
この起伏自在な被搬送物支持具３３ａ〜３３ｄを備えたスラットコンベヤでは、当該被搬送物支持具３３ａ〜３３ｄを備えた荷支持用スラット板５ａ，５ｂが下側戻り経路部２からＵターン経路部３を経由して上側搬送経路部１に進入したとき、手作業又は機械的手段により倒伏姿勢から起立姿勢に切り換え、被搬送物（自動車車体Ｗ’）をこれら起立姿勢の４つの被搬送物支持具３３ａ〜３３ｄ上に、適当な移載手段により載置することにより、上側搬送経路部１上で搬送することが出来る。そして上側搬送経路部１の終端手前で被搬送物（自動車車体Ｗ’）を適当な移載手段により搬出した後、起立姿勢の各被搬送物支持具３３ａ〜３３ｄを手作業又は機械的手段により倒伏姿勢に切り換える。而して、倒伏姿勢の各被搬送物支持具３３ａ〜３３ｄを備えた荷支持用スラット板５ａ，５ｂは、上下反転することなく正立姿勢のままＵターン経路部４から下側戻り経路部２に移行し、この下側戻り経路部２を、上側に倒伏姿勢の各被搬送物支持具３３ａ〜３３ｄを支持した荷支持用スラット板５ａ，５ｂが他のスラット板５と共に水平移動することになる。従って、上側搬送経路部１と下側戻り経路部２との間に倒伏姿勢の各被搬送物支持具３３ａ〜３３ｄが移動できる空間を確保するだけで、各被搬送物支持具３３ａ〜３３ｄを倒伏姿勢でロックするロック手段を省くことが出来る。
【００２８】
尚、この図１０〜図１２に示す実施例では、上側搬送経路部１側の駆動手段１３は、その左右一対の駆動用歯輪２８の軸心高さを、下側戻り経路部２を移動する荷支持用スラット板５ａ，５ｂ上の倒伏姿勢の被搬送物支持具３３ａ〜３３ｄの移動経路より上方に位置させることが出来るので、当該左右一対の駆動用歯輪２８を、下側戻り経路部２上の倒伏姿勢の被搬送物支持具３３ａ〜３３ｄの移動経路と上側搬送経路部１との間の空間を横断する伝動軸３６により連動連結し、一方の駆動ユニット１３ａが備える１台の減速機付きモーター２９により両駆動ユニット１３ａ，１３ｂの駆動用歯輪２８を駆動するように構成している。下側戻り経路部２側の前記駆動手段１４は、その駆動用歯輪３１の軸心高さが、下側戻り経路部２を移動する荷支持用スラット板５ａ，５ｂ上の倒伏姿勢の被搬送物支持具３３ａ〜３３ｄの移動経路より上方に位置させることが出来ないので、先の実施例のように左右一対の駆動用歯輪３１を２台の減速機付きモーター３２により各別に駆動するように構成するか又は、前記伝動軸３６と同一高さに横断支承させた伝動軸と両駆動ユニット１４ａ，１４ｂの駆動用歯輪３１とをチエンや歯車など適当な伝動手段で連動連結した上で、一方の駆動ユニット１４ａ又は１４ｂが備える１台の減速機付きモーター３２により両駆動ユニット１４ａ，１４ｂの駆動用歯輪３１を駆動するように構成すれば良い。
【００２９】
又、本発明のスラットコンベヤでは、各スラット板５の搬送方向の長さは特に限定されない。即ち、支持搬送する１つの被搬送物が占める領域内の搬送方向のスラット板５の数は特に限定されない。例えば、各スラット板５の搬送方向長さを長くして、１つのスラット板５上で１つの被搬送物を支持するように構成することも可能である。
【産業上の利用可能性】
【００３０】
本発明のスラットコンベヤは、一定直線搬送経路において搬送する自動車（又はその車体）の周囲に当該自動車（又はその車体）と一体に移動する連続作業床面が必要な自動車組立てラインにおいて活用出来る。
【符号の説明】
【００３１】
１    上側搬送経路部
２    下側戻り経路部
３，４    Ｕターン経路部
５    スラット板
５ａ，５ｂ    荷支持用スラット板
６    進入側固定床板
７    退出側固定床板
８，９    駆動チエン
１０ａ〜１１ｂ    案内歯輪
１２    スラット板姿勢規制用ガイド手段
１３，１４    駆動手段
１５    連結用支軸
１６，１７    ガイドローラー
１８    主ガイドレール部
１８ａ，１８ｂ    直線状水平レール部材
１９    ターン用ガイドレール部
１９ａ，１９ｂ    湾曲レール部材
２６，２７    チエンガイドレール
２８，３１    駆動用歯輪
２９，３２    減速機付きモーター
３０    チエン浮上り防止用ガイドレール
３０ａ    切欠き凹部
３３    被搬送物支持手段
３３ａ〜３３ｄ    起伏自在な被搬送物支持具
３５    支軸
３６    伝動軸
【図１】
2014133660.tif 000003
【図２】
2014133660.tif 000004
【図３】
2014133660.tif 000005
【図４】
2014133660.tif 000006
【図５】
2014133660.tif 000007
【図６】
2014133660.tif 000008
【図７】
2014133660.tif 000009
【図８】
2014133660.tif 000010
【図９】
2014133660.tif 000011
【図１０】
2014133660.tif 000012
【図１１】
2014133660.tif 000013
【図１２】
2014133660.tif 000014